(57)【特許請求の範囲】
【請求項１】
上方に開口する箱形状の収納容器の側壁対向面に形成される係合溝に、仕切板の両端部に形成した係合部をそれぞれ係合することにより、収納容器の内部を仕切るようにした収納容器の仕切構造において、
前記仕切板は、
両端部に前記収納容器の係合溝に取外し可能に係合される係合部をそれぞれ形成され、両面に、中央部分を切り欠くことなく、上端から下方に延びる係合溝をそれぞれ形成され、前記収納容器に最初に取り付けられる第一仕切板と、
両端部に前記収納容器の係合溝に取外し可能に係合される係合部をそれぞれ形成され、中間部に下縁から上方に向かう切欠部を形成され、該切欠部の対向面に一対の係合部を備え、該一対の係合部を前記第一仕切板の係合溝に取外し可能に係合することにより、前記第一仕切板によって仕切られた空間を、さらに仕切り可能とする第二仕切板と、
で構成可能とし、
さらに、両端部に係合部をそれぞれ形成され、各係合部を前記収納容器、又は、前記第１仕切板に形成された係合溝に取外し可能に係合することにより、前記第一仕切板又はさらに前記第二仕切板によって仕切られた空間を、さらに仕切り可能とする第三仕切板を備え、
前記第一、第二及び第三仕切板の両端部の係合部は、各仕切板の両端面から突出する、上端部が断面略矩形状で、それ以外の部分が上下方向に延びる断面略Ｔ字形に形成された係合凸部からなり、
前記第二仕切板の切欠部に形成された一対の係合部は、上下方向に延びる断面略Ｔ字形に形成された係合凸部からなり、
前記収納容器及び前記第一仕切板の係合溝は、前記第一、第二及び第三仕切板の両端部に形成した係合凸部と略同一断面形状で、上端から下方に延びるように形成され、前記各係合凸部が上方から取外可能に係合可能であり、上端部に、前記第一、第二及び第三仕切板の両端部に形成した係合部の断面略矩形状の上端部が位置する逃がし部を形成され、前記第一仕切板の係合溝には、さらに前記第二仕切板の一対の係合凸部が上方から取外可能に係合可能であることを特徴とする収納容器の仕切構造。
【発明の詳細な説明】
【０００１】
【発明の属する技術分野】
本発明は、収納容器の仕切構造、特に、医療器具、薬剤等の医療関連品を収容するのに適した収納容器の仕切構造に関するものである。
【０００２】
【従来の技術】
一般に、医療関連品の保管には、多段式のラックが使用されている。ラックには、上方に開口する箱状の収納容器が引出し可能に設けられている。収納容器内は、種々の医療関連品を仕分けして収納できるように仕切板によって仕切られている。
【０００３】
従来、収納容器の仕切構造として、例えば、図６（ａ）に示すように、直交するように配設した複数枚の仕切板１００ａ，１００ｂによって仕切ったものがある。仕切板１００ａは、両端部に設けた係合部１０１を、収納容器１０２の対向壁に設けた係合溝１０３に係合することにより収納容器１０２に取り付けられる。また、この仕切板１００ａに直交する仕切板１００ｂは、図６（ｂ）に示すように，仕切板１００ａに形成した切欠部１０４に、仕切板１００ｂに形成した係合部１０５を係合することにより行っている。
【０００４】
【発明が解決しようとする課題】
しかしながら、前記仕切構造では、仕切板１００ａは切欠部１０４を形成されることにより、その部分での強度が弱くなることは避けられない。通常、係合部１０５を有する仕切板１００ｂは、収納容器１０２に収納する医療関連品のサイズに応じて取付位置を変更されることがよくある。このため、切欠部１０４から係合部１０５を離脱させて仕切板１００ｂを取り外す必要があるが、切欠部１０４を形成することによって強度の小さくなった部分に負荷が作用し、損傷が多く発生していた。
【０００５】
そこで、本発明は、仕切板の着脱時に作用する負荷によって損傷することのない十分な強度を備えた収納容器の仕切構造を提供することを課題とする。
【０００６】
【課題を解決するための手段】
本発明は、前記課題を解決するための手段として、
上方に開口する箱形状の収納容器の側壁対向面に形成される係合溝に、仕切板の両端部に形成した係合部をそれぞれ係合することにより、収納容器の内部を仕切るようにした収納容器の仕切構造において、
前記仕切板は、
両端部に前記収納容器の係合溝に取外し可能に係合される係合部をそれぞれ形成され、両面に、中央部分を切り欠くことなく、上端から下方に延びる係合溝をそれぞれ形成され、前記収納容器に最初に取り付けられる第一仕切板と、
両端部に前記収納容器の係合溝に取外し可能に係合される係合部をそれぞれ形成され、中間部に下縁から上方に向かう切欠部を形成され、該切欠部の対向面に一対の係合部を備え、該一対の係合部を前記第一仕切板の係合溝に取外し可能に係合することにより、前記第一仕切板によって仕切られた空間を、さらに仕切り可能とする第二仕切板と、
で構成可能とし、
さらに、両端部に係合部をそれぞれ形成され、各係合部を前記収納容器、又は、前記第１仕切板に形成された係合溝に取外し可能に係合することにより、前記第一仕切板又はさらに前記第二仕切板によって仕切られた空間を、さらに仕切り可能とする第三仕切板を備え、
前記第一、第二及び第三仕切板の両端部の係合部は、各仕切板の両端面から突出する、上端部が断面略矩形状で、それ以外の部分が上下方向に延びる断面略Ｔ字形に形成された係合凸部からなり、
前記第二仕切板の切欠部に形成された一対の係合部は、上下方向に延びる断面略Ｔ字形に形成された係合凸部からなり、
前記収納容器及び前記第一仕切板の係合溝は、前記第一、第二及び第三仕切板の両端部に形成した係合凸部と略同一断面形状で、上端から下方に延びるように形成され、前記各係合凸部が上方から取外可能に係合可能であり、上端部に、前記第一、第二及び第三仕切板の両端部に形成した係合部の断面略矩形状の上端部が位置する逃がし部を形成され、前記第一仕切板の係合溝には、さらに前記第二仕切板の一対の係合凸部が上方から取外可能に係合可能であるものである。
【０００９】
【発明の実施の形態】
以下、本発明の実施形態を添付図面に従って説明する。
【００１０】
図１は、本発明に係る仕切構造を備えた収納容器１を、多段式の棚２に引出し自在に収容したものの斜視図である。
【００１１】
前記収納容器１は、ＡＢＳ樹脂等のプラスチック材料からなり、図２に示すように、上面が開口する箱状に形成されている。収納容器１の側壁の対向面には、上端から下方に向かって複数の第一係合溝３が所定間隔でそれぞれ形成されている。また、側壁の上端部には、前記各第一係合溝３に連続して第一逃がし部４（図３参照）がそれぞれ形成されている。
【００１２】
前記収納容器１には、図２及び図３に示すように、第一仕切板５、第二仕切板６及び第三仕切板７がそれぞれ取外し可能に装着されている。
【００１３】
第一仕切板５は長尺な板状体で、両端部には前記収納容器１の第一係合溝３に係脱する第一係合部８が形成されている。また、この第一仕切板５には両面に上端から下方に延びる複数の第二係合溝９が所定間隔で並設されている。このように、第二係合溝９は第一仕切板５の両面に形成されており、その中央部分は従来のように切り欠かれておらず、十分な強度を有する。また、第一仕切板５の上端には、図３に示すように、前記第二係合溝９に対応する部分に第二逃がし部１０が形成されている。
【００１４】
第二仕切板６は、前記第一仕切板５と同様な長尺な板状体であり、前記第一仕切板５と交差して配設することができる。第二仕切板６の両端部には、前記収納容器１の第一係合溝３に係脱する第二係合部１１が形成されている。また、この第二仕切板６には、下端から上方に向かう複数の切欠部１２が所定間隔で形成されている（以下、残された部分を連結部１３という。）。切欠部１２の対向面には、前記第一仕切板５の両面の各第二係合溝９に係脱する断面略Ｔ字形の係合凸部１４がそれぞれ突設されている。
【００１５】
第三仕切板７は、前記収納容器１の側壁と第一仕切板５の間、あるいは、第一仕切板５を複数枚並設する場合にはその間に配設することができる。第三仕切板７の両端部には、前記各仕切板５，６，７と同様な第三係合部１５が形成されている。そして、この第三係合部１５を前記側壁の第一係合溝３又は第一仕切板５の第二係合溝９に係合することにより第三仕切板７を取り付けることが可能となっている。なお、この第三仕切板７は、収納容器１に設ける第一仕切板５の位置や数に応じた種々の寸法とすることができ、又、その中間部分に前記第二仕切板６と同様な係合凸部を形成するようにしてもよい。
【００１６】
前記各仕切板の取付手順は次の通りである。
【００１７】
すなわち、まず、収納容器１内の空間を第一仕切板５によって分割する。この分割では、収納容器１の側壁の対向面にそれぞれ形成した各第一係合溝３に、第一仕切板５の両端部に形成した各第一係合部８を上方から係合する。
【００１８】
次に、第一仕切板５によって仕切られた空間をさらに第二仕切板６によって分割する。この分割では、前記第一仕切板５と同様に、前記各第一係合溝３とは直交する側壁の対向位置にそれぞれ形成した各第一係合溝３に、第二仕切板６の各第二係合部１１を上方から係合すると共に、第二仕切板６の係合凸部１４を第一仕切板５の第二係合溝９に係合する。
【００１９】
その後、前記第一仕切板５及び第二仕切板６で形成された空間をさらに第三仕切板７によって分割する。この分割では、第三仕切板７の両端部に形成した第三係合部１５を、収納容器１の側壁の第一係合溝３と第一仕切板５の第二係合溝９、又は、第一仕切板５を複数並設した場合には、各第一仕切板５の第二係合溝９にそれぞれ係合する。
【００２０】
但し、前記各仕切板５，６，７による分割方法は、第一仕切板５のみ、第一仕切板５及び第二仕切板６、又は、第一仕切板５及び第三仕切板７で行うようにしてもよい。
【００２１】
このような仕切構造を備えた収納容器１では、収納する医療関連品に応じてその都度仕切位置を変更することができる。
【００２２】
一般には、第三仕切板７の取付位置を変更することにより行う。第三仕切板７の取付位置の変更は、その第三係合部１５を側壁の第一係合溝３又は第一仕切板５の第二係合溝９から離脱させ、他の第一係合溝３又は第二係合溝９に係合することにより行う。この場合、第三仕切板７の取外し方によっては、各係合溝３又は９からの第三係合部１５の離脱により、第一仕切板５に負荷が作用することがある。しかしながら、第一仕切板５は第二係合溝９を形成した部分でも切り欠かれることなく連結されたままとなっており、十分な強度を有しているため、損傷に至ることはない。
【００２３】
なお、仕切位置の変更は、第一仕切板５や第二仕切板６の取付位置を変更することにより行ってもよく、第二仕切板６の取付位置を変更する際、第一仕切板５に負荷が作用しても、前記同様の理由からこの第一仕切板５が損傷に至ることはない。
【００２４】
ところで、前記実施形態では、収納容器１の側壁や第一仕切板５の上端に逃がし部４，１０を形成することにより、係合溝に第一仕切板５や第三仕切板７の係合部８，１５を係合した際、各部材の上端が面一となるようにしたが、逃がし部４，１０を設けることなく、図４に示すように、係合部８，１５の基部に切欠き５ａを形成するようにしてもよい。
【００２５】
また、前記実施形態では、第一仕切板５や第三仕切板７に比べて第二仕切板６が上方に突出するような構成としたが、図５に示すように、第一仕切板５に凹部１１を形成することにより、第一仕切板５の上面と第三仕切板７の上面とが面一となるように構成しても構わない。この場合、第一仕切板５と第二仕切板６との係合部分を切り欠いて互いに係合するように構成することにより、両仕切板５，６をほぼ同等な強度としてもよい。
【００２６】
【発明の効果】
以上の説明から明らかなように、本発明に係る収納容器の仕切構造によれば、仕切板の両面に係合溝を形成して連結部分を残すようにしたので、仕切板に所望の強度を維持することが可能となる。したがって、前記係合溝に他の仕切板の係合部を係脱しても、仕切板が作用する負荷によって損傷に至ることはない。
【図面の簡単な説明】
【図１】  本発明に係る仕切構造を備えた収納容器を収容した棚の斜視図である。
【図２】  図１の収納容器の斜視図である。
【図３】  図２の部分分解斜視図である。
【図４】  図３の係合部分の他の例を示す部分分解斜視図である。
【図５】  他の実施形態に係る係合部分を示す部分分解斜視図（ａ）及び係合状態を示す部分斜視図である。
【図６】  従来例に係る仕切構造を備えた収納容器の斜視図（ａ）及びその係合部分を示す斜視図である。
【符号の説明】
１：収納容器
３：第一係合溝
４：第一逃がし部
５：第一仕切板
６：第二仕切板
７：第三仕切板
８：第一係合部
９：第二係合溝
１０：第二逃がし部
１１：第二係合部
１２：切欠部
１３：連結部
１４：係合凸部
１５：第三係合部
【図１】
0004512208.tif 000002
【図２】
0004512208.tif 000003
【図３】
0004512208.tif 000004
【図４】
0004512208.tif 000005
【図５】
0004512208.tif 000006
【図６】
0004512208.tif 000007